(57)【要約】本発明は、アクセス管理を備えたテレビジョン受信機を点検する方法及び対応する受信機に関する。本発明は、例えば予約及び受信機の特性を通じて、放送局が計算を実行することを特徴とする。前記計算の結果は、受信機に送信され、保存される。受信機を点検するために、放送局は、パラーメータを送信し、受信機は、計算を実行すると共に、得られた結果と保存されている結果とを比較する。異なる場合、受信機は動作状況を変更する。本発明は、アクセス管理を備えたテレビジョンに応用される。【特許請求の範囲】
【請求項１】
放送局が予約を申し込んだ加入者に対して対応するアクセス権を送信し、受信機がこれらのアクセス権を保存する、アクセス管理を備えたテレビジョンシステムのための受信機の点検方法であって、
Ａ）放送局は、一つ又は複数のパラメータによって規定される計算を実行し、
そして、放送局は、それぞれの受信機に計算の結果を送信し、
それぞれの受信機は、これらの結果を保存し、
Ｂ）特定の受信機を点検するために、放送局は、この特定の受信機に一つ又は複数の決定されたパラメータを送信し、
受信機は、計算を実行し、これにより得られた結果と、予め保存されている結果のうちの対応する結果とを比較し、
異なる場合は、適切な方法でその動作を変更する、
ことを特徴とする方法。
【請求項２】
それぞれの受信機は、端末とチップカードを含み、チップカードは、アクセス権及び放送局が送信した結果を保存し、端末は、放送局によって命令された計算を実行する、請求項１に記載の方法。
【請求項３】
端末は、計算の結果をカードに送信し、
カードは、端末から送信された結果と、放送局から受信した対応する結果とを比較し、
異なる場合は、カードは、受信機の動作を変更する、
請求項２に記載の方法。
【請求項４】
端末は、実行される計算に対応する結果をカードに保存されている複数の結果の中から読み出し、
端末は、計算の結果と、カードから読み出される結果とを比較し、
異なる場合は、端末は、受信機の動作を変更する、
請求項２に記載の方法。
【請求項５】
放送局は、予約の一つに対応する第一パラメータと、受信機の特性の一つによって構成される第二パラメータによって規定される計算を実行する、請求項１に記載の方法。
【請求項６】
放送局及び受信機によって実行される計算は、暗号化アルゴリズムによって規定され、該アルゴリズムの暗号化キーは、予約キーに依存し、暗号化は、それぞれの受信機の特性の一つに依存する数に適用される、請求項５に記載の方法。
【請求項７】
暗号化キーは、予約キーである、請求項６に記載の方法。
【請求項８】
暗号化された特性は、受信機において使用されるチップカードのシリアルナンバーである、請求項６に記載の方法。
【請求項９】
請求項１〜８の何れか一項による方法を使用して点検され得るテレビジョン受信機であって、端末と、予約に関係があるアクセス権を収めるチップカードとを含み、
カードは、さらに各種の計算結果を収め、
端末は、一つ又は複数の決定されたパラメータを使用することによってこれらの計算の何れか一つを実行することができる手段を含み、
受信機は、端末によって実行された計算結果と、カードに収められた対応する結果とを比較する手段を含み、
受信機は、二つの結果が異なる場合に適切な方法でその動作を変更する手段を含む、
ことを特徴とする受信機。
【請求項１０】
結果を比較する手段は、受信機の動作を変更することが可能とされるカードの中に置かれる、請求項９に記載の受信機。
【請求項１１】
結果を比較する手段は、受信機の動作を変更することが可能とされる端末の中に置かれる、請求項９に記載の受信機。
【請求項１２】
端末は、カードに収められるアクセス権の一つによって構成される第一パラメータと、受信機の特性の一つによって構成される第二パラメータとを使用する、請求項９に記載の受信機。
【請求項１３】
計算を実行するために使用される第二パラメータは、カードの固有なシリアルナンバーである、請求項１２に記載の受信機。
【発明の詳細な説明】
【技術分野】
【０００１】
本発明は、アクセス管理を備えたテレビジョン受信機の点検方法、及びこの方法を用いて点検が可能な受信機に関する。
【背景技術】
【０００２】
アクセス管理を備えたテレビジョンにおいて、送信されるデータは、まず最初に暗号化アルゴリズムを用いて周波数が変えられ、この周波数が変えられたデータは、アクセス管理メッセージと共に放送される。適正な予約を申し込んだ加入者の受信機は、該受信機がアクセス管理メッセージの中から送信データの周波数変調を解除するために必要なキーを見つけることを認めるアクセス権を構成する情報を備えて取り付けられる。
【０００３】
例えば、文献ＦＲ−Ａ−２，４４８，８２５は、一ヶ月単位という比較的長い時間間隔で無作為に変わる予約キーＣｉ、及び同じく無作為であるが２〜３分単位という短い時間間隔で変わるサービスキーＫを使うシステムを記述している。データは、サービスキーＫを用いて周波数変調が解除される。アクセス管理メッセージＭｉは、予約キーＣｉによって規定されるアルゴリズムを用いて予約キーＣｉ及びサービスキーＫから取得される。加入者の受信機において、そこに収められるチップカードは、加入者が申し込んだ予約に対応するキーを備えて取り付けられる。カードに結びつけられた端末は、メッセージＭｉを受信し且つそのカードに収められる予約キーＣｉを入手できるサービスキーＫを検索するための回路を収める。周波数変調を解除する手段は、周波数変調が解除されたものの中からデータを検索する。
【０００４】
そのような技術は、様々な面で満足を提供するとは言え、不正が行われやすいという不具合を負う。確かに、受信機は、加入者が対応する予約に対して支払いをせずともプログラムを受信することができるよう、手慣れた犯罪者によって改造され得る。このような不正を避ける（あるいは減らす）ことは、加入者の受信機の真正状態をチェックするために彼らの場所で定期的な点検を行うことを必要とする。
【発明の開示】
【発明が解決しようとする課題】
【０００５】
従って、本発明の目的は、この問題を解決することにある。
【課題を解決するための手段】
【０００６】
本発明によれば、受信機の点検は、放送機関によって起こされ、受信機自身によって実行される。もし、受信機が真正状態を保っていることが点検によって明らかになれば、受信機は正常に動作を続ける。反対の場合は、何らかの方法で、例えば部分停止若しくは完全停止によって動作が変更される。
【０００７】
本発明によれば、これは、次のようにして達成される。
Ａ）放送局は、一つ又は複数の決定されたパラメータによって規定される計算を実行する。そして、放送局は、それぞれの受信機に計算の結果を送信し、それぞれの受信機は、各種の結果を保存する。
Ｂ）特定の受信機を点検するために、放送局は、この特定の受信機に一つ又は複数の決定されたパラメータを送信する。そして、受信機は、計算を実行し、これにより得られた結果と、保存されている結果のうちの対応する結果とを比較する。異なる場合は、適切な方法、例えば動作を停止することによって、その動作を変更する。
【０００８】
受信機が端末とチップカードを含むならば、好ましくは、チップカードは、放送局によって送信された計算の結果を保存し、端末は、関係する計算を実行する。
【０００９】
第一の選択肢において、端末は、計算の結果をカードに送信する。後者は、この結果と、保存されている結果とを比較し、異なる場合は、例えば端末と協同することを拒絶することによって、受信機の動作を変更する。
【００１０】
第二の選択肢において、端末は、実行されるべき計算に対応する結果をカードに保存されている複数の結果の中から読み出し、この結果と、自身で得られた結果とを比較する。異なる場合は、例えばカードと協同することを拒絶することによって、受信機の動作を変更する。
【００１１】
使用されるパラメータは、予約の一つに対応する第一パラメータと、受信機の特性、例えば（固有の）チップカードのシリアルナンバー、の一つによって構成される第二パラメータとによって構成され得る。
【００１２】
実行される計算アルゴリズムは、どのような形式であってもよく、これらは、ＲＳＡタイプ、ＨＡＳＨタイプ、ＤＥＳタイプ、あるいはその他の如何なるタイプからなる対称若しくは非対称の暗号化アルゴリズムである。
【００１３】
予約と関連して実行される計算アルゴリズムは、その他で実行されるものと同じである必要はない。このアルゴリズムは、製造時に端末にインストールされ、あるいは点検時に放送局によって組み込まれる。
【００１４】
本発明は、また、特徴付けられた方法に従って管理されることができるテレビジョン受信機に関する。この受信機は、端末と、アクセス権を収めるチップカードとを含み、カードは、さらに各種の計算結果を収め、端末は、一つ又は複数の決定されたパラメータを使用することによって決定された計算を実行することができる手段を含み、受信機は、端末によって実行された計算結果と、カードに収められた対応する結果とを比較する手段を含み、受信機は、二つの結果が異なる場合に適切な方法でその動作を変更する手段を含むことを特徴とする。
【００１５】
第一の選択肢において、結果を比較する手段は、受信機の動作を変更することが可能とされるカードの中に置かれる。
【００１６】
第二の選択肢において、結果を比較する手段は、受信機の動作を変更することが可能とされる端末の中に置かれる。
【００１７】
パラメータの一つは、予約の一つに対応し、他のパラメータは、受信機の特性及び例えばカードのシリアルナンバーの一つである。
【発明を実施するための最良の形態】
【００１８】
限定的でない例として、計算アルゴリズムは、チップカードのシリアルナンバーに応用される対称キー暗号化アルゴリズムである。そのようなアルゴリズムは、特にサービスキーを検索するため（最初の部分を参照）、アクセス管理において実際に使用される。我々は、キーＣｉを使用するアルゴリズムをＡｃｉ（ＮＳｊ）と名付ける。添字Ｉは、システムの異なる予約ｎに関係する（Ｉは１からｎまで変化）。そして、ＮＳｊは、ｊ番目の受信機のシリアルナンバーを表す。添字ｊは、受信機を識別する（ｊは１からｐまで変化）。この計算の結果は、Ｒｉ，ｊで記述される。それぞれの受信機は、すべてのｎの予約キーＣｉを持つと仮定する。
【００１９】
放送局は、時点時点において、ｎｐの結果Ｒｉ，ｊを計算する。ｎの結果Ｒｉ，ｑは、決定されたランクｑの受信機に対応し（ｊ＝ｑ）、ｎの結果Ｒｉ，ｑは、ｎの予約キーＣｉ（ｉは１からｎまで）に対応する。
【００２０】
ランクｑの受信機の点検を実行するため、放送局は、ｎの間で予約キーの一つ（Ｃｋと呼ぶ）を選び、パラメータとしてのキーＣｋを使用することによる計算を実行するよう命令する。この計算は、放送局によって実行された時点で結果Ｒｋ，ｑを得る。このように、Ａｃｉ（ＮＳｊ）を計算し、その結果と、放送局から既に受信し且つ保存しておいた結果とを比較する。もし結果が等しいことがわかれば、受信機は正常の動作を続ける。もし、結果が互いに異なっていれば、あるいは受信機が要求された計算を実行しないようなことがあれば、受信機の不正操作がなされたものであったとし、動作は中止される。
【００２１】
表１はこれらの工程を要約する。
【表１】
2005506813.tif 000002
【００２２】
この表は、どのような方法で受信機が結果の比較を実行するかを指示していない。表２において、カードがこの仕事のために使用されると仮定する。この場合、カードに書き込まれた結果は、端末によって読み出されることはない。表３は、端末が比較のために使用される場合に対応する。表２及び表３において、受信機を識別する添字ｑは、表記を簡素化するために省略される。
【表２】
2005506813.tif 000003
【表３】
2005506813.tif 000004
【００２３】
簡素な例として、それぞれの受信機に一つの予約が対応すると仮定する。放送局は、ｎの結果Ｒｉを計算する。結果Ｒｑは、ランクｑの受信機に対応し、結果Ｒｑは、予約キーＣｑとアルゴリズムＡＣｑに対応する。
【００２４】
この受信機の点検を実行するために、放送局は、パラメータとしてのこのキーを取得すると同時に計算を実行するよう受信機に命令する。この計算は、放送局がそれを実行した時点で結果Ｒｑを得る。このように、受信機は、ＡＣｑ（ＮＳｑ）を計算し、得られた結果と、放送局から得た結果であるＲｑとを比較する。
【００２５】
本発明によれば、端末とチップカードは、それらの内容から変化し得るという意味で動的な製作物である。どんな時でも、それらはアクセス権及び新しい計算結果を受信する。
【００２６】
計算アルゴリズムは、予約キー以外の他のキー、例えばそれぞれのチップカードの識別に関係するベースキーから得られる変形キーを使用することがあり得る。この場合、それぞれの受信機は、受信機に特有のキーを用いて計算を実行する。また、アルゴリズムは、変更され、あるいは修正される。
【００２７】
表１〜３に対応する受信機の実施形態は、図１〜３に図示される。
【００２８】
図１において、本発明の実施形態の一つに従う方法によって点検され得るテレビジョン受信機１は、端末２と、予約に関係するアクセス権を収めたチップカード３とを含む。カードは、さらに各種の計算結果を収める。
【００２９】
端末２は、一つ又は複数の予め決定されたパラメータを使用することによって何れか一つの計算を実行することができる手段４を含む。
【００３０】
受信機１は、端末２によって実行された計算結果と、カード３に収められた対応する結果とを比較する手段５を含む。
【００３１】
受信機は、二つの結果が異なる場合に適切な方法でその動作を変更する手段６を含む。
【００３２】
図２の実施形態において、端末２によって実行された計算結果と、カード３に収められた対応する結果とを比較する手段５は、受信機の動作を変更することができるカード３の中に置かれる。
【００３３】
図３の実施形態において、端末２によって実行された計算結果と、カード３に収められた対応する結果とを比較する手段５は、受信機の動作を変更することができる端末２の中に置かれる。
【図面の簡単な説明】
【００３４】
【図１】本発明による方法を実行することができる受信機の概略図である。
【図２】本発明による方法を実行することができる受信機の概略図である。
【図３】本発明による方法を実行することができる受信機の概略図である。
【図１】
2005506813.tif 000005
【図２】
2005506813.tif 000006
【図３】
2005506813.tif 000007
【国際公開パンフレット】
2005506813.tif 000008
2005506813.tif 000009
2005506813.tif 000010
2005506813.tif 000011
2005506813.tif 000012
2005506813.tif 000013
2005506813.tif 000014
2005506813.tif 000015
2005506813.tif 000016
2005506813.tif 000017
2005506813.tif 000018
2005506813.tif 000019
2005506813.tif 000020
2005506813.tif 000021
2005506813.tif 000022
2005506813.tif 000023
2005506813.tif 000024
【国際公開パンフレット（コレクトバージョン）】
2005506813.tif 000025
【国際調査報告】
2005506813.tif 000026
2005506813.tif 000027
2005506813.tif 000028
2005506813.tif 000029